(57)【要約】      （修正有）【課題】高放熱性で、高光電変換効率の集光型太陽電池モジュール、及びこの集光型太陽電池モジュールの製造方法を提供する。【解決手段】太陽電池セル３を搭載するための複数の搭載領域５及び太陽電池セル３と外部電極を電気的に接続するための複数のリード電極６を有する基台部１と、基台部１の搭載領域５のそれぞれを取り囲む熱硬化性樹脂から成る支持体２を準備する工程と、太陽電池セル３を搭載領域５に搭載する工程と、太陽電池セル３を封止するように搭載領域５の上方に集光レンズ４を成型する工程とを有する集光型太陽電池モジュールの製造方法であって、準備工程後かつ搭載工程前に、準備した基台部１の搭載領域５の表面にメッキを施す工程と、搭載工程後かつ集光レンズ成型工程前に、支持体２を基台部１に接合する工程を有し、集光レンズ成型時に、集光レンズ４を透明の熱硬化性シリコーン樹脂で成型する集光型太陽電池モジュールの製造方法。【選択図】図４
2014154828.tif 000002
【特許請求の範囲】
【請求項１】
太陽電池セルを搭載するための複数の搭載領域及び前記太陽電池セルと外部電極を電気的に接続するための複数のリード電極を有する基台部と、該基台部の前記搭載領域のそれぞれを取り囲む熱硬化性樹脂から成る支持体を準備する準備工程と、
前記太陽電池セルを前記搭載領域に搭載する搭載工程と、
前記太陽電池セルを封止するように前記搭載領域の上方に集光レンズを成型する集光レンズ成型工程とを有する集光型太陽電池モジュールの製造方法であって、
前記準備工程後かつ前記搭載工程前に、前記準備した基台部の前記搭載領域の表面にメッキを施すメッキ工程と、前記搭載工程後かつ前記集光レンズ成型工程前に、前記支持体を前記基台部に接合する支持体接合工程を有し、
前記集光レンズ成型工程において、前記集光レンズを透明の熱硬化性シリコーン樹脂で成型することを特徴とする集光型太陽電池モジュールの製造方法。
【請求項２】
前記支持体接合工程において、前記支持体の内壁表面を金属で蒸着又はメッキした支持体を前記基台部に接合することを特徴とする請求項１に記載の集光型太陽電池モジュールの製造方法。
【請求項３】
前記準備工程において、支持体の上部を前記搭載領域の中心方向に向かって延伸するように形成したものを準備することを特徴とする請求項１又は請求項２に記載の集光型太陽電池モジュールの製造方法。
【請求項４】
前記搭載工程において、前記搭載する太陽電池セルを金属又は導電性熱硬化性シリコーン樹脂で前記メッキが施された搭載領域と接合することを特徴とする請求項１乃至請求項３のいずれか１項に記載の集光型太陽電池モジュールの製造方法。
【請求項５】
前記集光レンズ成型工程後に、前記基台部の一部を切断することによって電気的回路を形成することを特徴とする請求項１乃至請求項４のいずれか１項に記載の集光型太陽電池モジュールの製造方法。
【請求項６】
前記集光レンズ成型工程において、前記集光レンズの成型を圧縮成型、トランスファー成型、射出成型、鋳型成型によって行うことを特徴とする請求項１乃至請求項５のいずれか１項に記載の集光型太陽電池モジュールの製造方法。
【請求項７】
前記集光レンズ成型工程後に、前記集光型太陽電池モジュールをダイシングによって個片化する工程を有することを特徴とする請求項１乃至請求項６のいずれか１項に記載の集光型太陽電池モジュールの製造方法。
【請求項８】
太陽電池セルを搭載するための複数の搭載領域及び前記太陽電池セルと外部電極を電気的に接続するための複数のリード電極を有する基台部と、該基台部の前記搭載領域のそれぞれを取り囲む熱硬化性樹脂から成る支持体と、前記搭載領域に搭載された前記太陽電池セルと、該太陽電池セルを封止するように前記搭載領域の上方に成型された集光レンズとを具備する集光型太陽電池モジュールであって、
前記基台部の前記搭載領域の表面にメッキが施され、前記集光レンズは透明の熱硬化性シリコーン樹脂で成型され、前記支持体は前記基台部に接合されたものであることを特徴とする集光型太陽電池モジュール。
【請求項９】
前記支持体は、シリコーン樹脂を含有し、３５０ｎｍ以上、９００ｎｍ以下の波長の光に対する反射率が９０％以上である熱硬化性樹脂で成型されたものであることを特徴とする請求項８に記載の集光型太陽電池モジュール。
【請求項１０】
前記支持体の内壁表面が金属で蒸着、又はメッキされたものであることを特徴とする請求項８又は請求項９に記載の集光型太陽電池モジュール。
【請求項１１】
前記支持体は、上部が前記搭載領域の中心方向に向かって延伸するように形成されたものであることを特徴とする請求項８乃至請求項１０のいずれか１項に記載の集光型太陽電池モジュール。
【請求項１２】
前記搭載された太陽電池セルは、金属又は導電性熱硬化性シリコーン樹脂で前記メッキが施された搭載領域と接合されたものであることを特徴とする請求項８乃至請求項１１のいずれか１項に記載の集光型太陽電池モジュール。
【請求項１３】
前記支持体は、熱硬化性シリコーン樹脂、有機変性シリコーン樹脂、エポキシ樹脂とシリコーン樹脂からなる混成樹脂のうちから選ばれる少なくとも１種の材料からなるものであることを特徴とする請求項８乃至請求項１２のいずれか１項に記載の集光型太陽電池モジュール。
【請求項１４】
前記支持体には、フィラー、拡散剤、顔料、蛍光物質、反射性物質、遮光性物質、繊維状無機材料からなる群から選択される少なくとも１つが混合されているものであることを特徴とする請求項８乃至請求項１３のいずれか１項に記載の集光型太陽電池モジュール。
【発明の詳細な説明】
【技術分野】
【０００１】
本発明は、太陽電池セルに高エネルギーの太陽光を照射する集光構造を有する集光型太陽電池モジュール及びその製造方法に関する。
【背景技術】
【０００２】
太陽電池モジュールの方式として、太陽光の受光面に太陽電池セルを一面に敷き詰めた平板方式が多く用いられている。しかし、この受光面積に応じて敷き詰める太陽電池セルが高価であるため、太陽電池モジュールは高コストであった。このような背景から、集光レンズにより小径の太陽電池セルに太陽光を集光させる集光型太陽電池モジュールの開発が行われてきた。この集光型太陽電池モジュールは、光を数百倍に集光することで、平板方式に比較して必要とする太陽電池セルの数を大幅に削減できる。
【０００３】
しかし、光を数百倍に集光させる集光型太陽電池モジュールでは、受光面を太陽光の動きに追尾する機構が必要となる。そのため、この機構を設置するためにコストが増加したり、太陽電池モジュールの大きさが増加する問題がある。
この問題に対し、太陽電池モジュールの小型化、低コスト化を図る目的で、太陽電池セルの上方に樹脂製の集光構造体（例えば、フレネルレンズ又は凸レンズ）を形成した集光型太陽電池モジュールが提案されている（例えば、特許文献１参照）。特許文献１では、支持体の凹部内に集光構造体を形成し、これらに屈折率の異なる材料を用いることで集光構造を構成している。
【先行技術文献】
【特許文献】
【０００４】
【特許文献１】特開平９−８３００６号公報
【発明の概要】
【発明が解決しようとする課題】
【０００５】
しかし、特許文献１の集光型太陽電池モジュールでは支持体へ光が侵入してしまい、光電変換効率が低下してしまう問題や、支持体及び集光構造体の材料の選定が煩雑であるという問題がある。
また、集光型太陽電池モジュールでは、受光中の太陽電池セルの温度が８０℃以上にも達することがあり、このことに起因する集光型太陽電池モジュールの出力低下が問題となっている。そのため、集光型太陽電池モジュールでは、高光電変換効率に加えて放熱性を向上することが重要な課題となっている。
【０００６】
本発明は前述のような問題に鑑みてなされたもので、高放熱性で、高光電変換効率の集光型太陽電池モジュール、及びこの集光型太陽電池モジュールの製造方法を提供することを目的とする。
【課題を解決するための手段】
【０００７】
上記目的を達成するために、本発明によれば、太陽電池セルを搭載するための複数の搭載領域及び前記太陽電池セルと外部電極を電気的に接続するための複数のリード電極を有する基台部と、該基台部の前記搭載領域のそれぞれを取り囲む熱硬化性樹脂から成る支持体を準備する準備工程と、前記太陽電池セルを前記搭載領域に搭載する搭載工程と、前記太陽電池セルを封止するように前記搭載領域の上方に集光レンズを成型する集光レンズ成型工程とを有する集光型太陽電池モジュールの製造方法であって、前記準備工程後かつ前記搭載工程前に、前記準備した基台部の前記搭載領域の表面にメッキを施すメッキ工程と、前記搭載工程後かつ前記集光レンズ成型工程前に、前記支持体を前記基台部に接合する支持体接合工程を有し、前記集光レンズ成型工程において、前記集光レンズを透明の熱硬化性シリコーン樹脂で成型することを特徴とする集光型太陽電池モジュールの製造方法が提供される。
【０００８】
このような製造方法であれば、透明の熱硬化性シリコーン樹脂で集光レンズを成型することによって光電変換効率、耐熱性及び耐久性に優れた集光型太陽電池モジュールを製造できる。また、搭載領域の表面にメッキを施すことによって放熱性が向上され、高温による光電変換効率の悪化を抑制できる集光型太陽電池モジュールを製造できる。さらに、支持体は基台部に接合されるので、支持体の形状などの設計自由度を高めることができるし、支持体の表面処理を容易に行うことができる。
【０００９】
このとき、前記支持体接合工程において、前記支持体の内壁表面を金属で蒸着又はメッキした支持体を前記基台部に接合することが好ましい。
このようにすれば、光電変換効率がより向上された集光型太陽電池モジュールを低コストで製造できる。
【００１０】
また、前記準備工程において、支持体の上部を前記搭載領域の中心方向に向かって延伸するように形成したものを準備することが好ましい。
このようにすれば、太陽電池セルとリード電極をワイヤーボンディングで接続する場合に、ワイヤーを支持体で取り囲む構造によってワイヤーによる光吸収を抑制できる集光型太陽電池モジュールを製造できる。また、ワイヤーが集光レンズの設計に与える影響を大幅に低減できるので、光学設計が簡便になる。
【００１１】
また、前記搭載工程において、前記搭載する太陽電池セルを金属又は導電性熱硬化性シリコーン樹脂で前記メッキが施された搭載領域と接合することが好ましい。
このようにすれば、一層放熱性に優れた集光型太陽電池モジュールを製造できる。
【００１２】
また、前記集光レンズ成型工程後に、前記基台部の一部を切断することによって電気的回路を形成することができる。
このようにすれば、集光型太陽電池モジュールの製造段階で各太陽電池セルの電気的接続状況を確認でき、不具合のある太陽電池セルを製造段階で選別できる。このように、工程内検査の簡略化、低コスト化を図ることができる。
【００１３】
また、前記集光レンズ成型工程において、前記集光レンズの成型を圧縮成型、トランスファー成型、射出成型、鋳型成型によって行うことができる。
このようにすれば、製造を簡略化でき、生産効率を向上し、コストを削減できる。
【００１４】
また、前記集光レンズ成型工程後に、前記集光型太陽電池モジュールをダイシングによって個片化する工程を有することができる。
このようにすれば、集光型太陽電池モジュールを一度に大量に生産することができ、量産によるコストの低下を実現できる。
【００１５】
また、本発明によれば、太陽電池セルを搭載するための複数の搭載領域及び前記太陽電池セルと外部電極を電気的に接続するための複数のリード電極を有する基台部と、該基台部の前記搭載領域のそれぞれを取り囲む熱硬化性樹脂から成る支持体と、前記搭載領域に搭載された前記太陽電池セルと、該太陽電池セルを封止するように前記搭載領域の上方に成型された集光レンズとを具備する集光型太陽電池モジュールであって、前記基台部の前記搭載領域の表面にメッキが施され、前記集光レンズは透明の熱硬化性シリコーン樹脂で成型され、前記支持体は前記基台部に接合されたものであることを特徴とする集光型太陽電池モジュールが提供される。
【００１６】
このような集光型太陽電池モジュールであれば、透明の熱硬化性シリコーン樹脂で成型された集光レンズによって光電変換効率、耐熱性及び耐久性に優れたものとなる。また、搭載領域の表面に施されたメッキによって放熱性が向上され、高温による光電変換効率の悪化を抑制できるものとなる。さらに、支持体は基台部に接合されるものなので、支持体の形状などの設計自由度を高めることができるし、支持体の表面処理を容易に行うことができるものとなる。
【００１７】
このとき、前記支持体は、シリコーン樹脂を含有し、３５０ｎｍ以上、９００ｎｍ以下の波長の光に対する反射率が９０％以上である熱硬化性樹脂で成型されたものであることが好ましい。
このようなものであれば、光電変換効率が確実に向上されたものとなると同時に、耐熱性、耐久性を高めることができる。
【００１８】
また、前記支持体の内壁表面が金属で蒸着、又はメッキされたものであることが好ましい。
このようなものであれば、光電変換効率がより向上されたものとなり、しかも低コストである。
【００１９】
また、前記支持体は、上部が前記搭載領域の中心方向に向かって延伸するように形成されたものであることが好ましい。
このようなものであれば、太陽電池セルとリード電極をワイヤーボンディングで接続する場合にワイヤーを支持体で取り囲む構造によってワイヤーによる光吸収を抑制できる。また、ワイヤーが集光レンズの設計に与える影響を大幅に低減できるので、様々な光学設計を適用できる。
【００２０】
また、前記搭載された太陽電池セルは、金属又は導電性熱硬化性シリコーン樹脂で前記メッキが施された搭載領域と接合されたものであることが好ましい。
このようなものであれば、更に放熱性に優れたものとなる。
【００２１】
また、前記支持体は、熱硬化性シリコーン樹脂、有機変性シリコーン樹脂、エポキシ樹脂とシリコーン樹脂からなる混成樹脂のうちから選ばれる少なくとも１種の材料からなるものとすることができる。
このようなものであれば、耐光性、耐熱性に優れたものとなる。
【００２２】
また、前記支持体には、フィラー、拡散剤、顔料、蛍光物質、反射性物質、遮光性物質、繊維状無機材料からなる群から選択される少なくとも１つが混合されているものとすることができる。
目的に応じてこのようなものを添加したものであれば、より一層支持体が高反射性、高強度を有するものとなり、集光型太陽電池モジュールの高耐久性、高光電変換効率を実現できる。
【発明の効果】
【００２３】
本発明では、集光型太陽電池モジュールの製造において、基台部の太陽電池セルの搭載領域の表面にメッキを施し、また、集光レンズを透明の熱硬化性シリコーン樹脂で成型するので、製造した本発明の集光型太陽電池モジュールは光電変換効率及び耐熱性に優れ、放熱性が向上されて高温による光電変換効率の悪化を抑制できるものとなる。また、支持体を搭載工程後に基台部に接合するので、例えば、太陽電池セルとリード電極を接続するワイヤーを支持体で取り囲む構造とするなどといった、支持体の設計自由度を高めることができるし、支持体の内壁表面にメッキするなどといった表面処理を容易に行うことができる。
【図面の簡単な説明】
【００２４】
【図１】本発明の集光型太陽電池モジュールの一例を示す概略図である。
【図２】個片化された本発明の集光型太陽電池モジュールの一例を示す概略図である。
【図３】個片化された本発明の集光型太陽電池モジュールの別の一例を示す概略図である。
【図４】本発明の集光型太陽電池モジュールの製造方法の一例を示すフロー図である。
【図５】集光型太陽電池モジュールに電気的回路を形成する方法を説明する説明図である。
【発明を実施するための形態】
【００２５】
以下、本発明について実施の形態を説明するが、本発明はこれに限定されるものではない。
【００２６】
上記したように、集光型太陽電池モジュールの製造において、高光電変換効率に加えて、放熱性を向上することでその高光電変換効率を維持することが重要な課題となっている。
そこで、本発明者はこのような問題を解決すべく鋭意検討を重ねた。その結果、太陽電池セルを搭載するための搭載領域の表面にメッキを施すことで、この課題を解決できることに想到した。さらに、太陽電池セルの搭載後に支持体を接合する方法であれば、様々な形状の支持体を用いることができるし、その表面処理を容易に行うことができることに想到し、本発明を完成させた。
【００２７】
図１は、本発明の集光型太陽電池モジュールの一例を示す模式図である。図１に示すように、集光型太陽電池モジュール１０は、基台部１、支持体２、太陽電池セル３、集光レンズ４を具備するものである。この集光型太陽電池モジュール１０は、複数の太陽電池セル３及び集光レンズ４が設けられた集合型の形態を有している。
基台部１は、太陽電池セル３を搭載するための搭載領域５、及び太陽電池セル３と外部電極を電気的に接続するためのリード電極６を有する。搭載領域５及びリード電極６は、搭載する複数の太陽電池セル３にそれぞれ対応するように複数設けられている。
【００２８】
基台部１の搭載領域５の表面にはメッキが施されている。また、リード電極６の表面にもメッキを施すことができる。このメッキに用いる金属としては特に限定されないが、例えば、アルミ、クロム、亜鉛、金、銀、プラチナ、ニッケル、パラジウム、これらの合金（例えば、Ｎｉ−Ａｇ、Ｎｉ−Ｐｄ−Ａｕなど）を用いることができる。
また、基台部１として、例えば、金属板をエッチングしてリード電極を形成した金属リードフレームを用いることができる。この場合、例えば図１に示すように、リード電極を形成するためにエッチングした部分７には樹脂を埋め込んで基台部１の強度を向上させることができる。或いは、基台部１として、樹脂基板、セラミック基板、ガラスクロス基板などの表面にメッキを施すことによって、メッキされた搭載領域５及びリード電極６を形成したものとすることもできる。
【００２９】
太陽電池セル３は上記のようにメッキが施された搭載領域５上に受光部を上にして搭載される。そのため、集光型太陽電池モジュールの放熱性を大幅に向上できる。太陽電池セル３としては、特に限定されないが、例えば、単結晶又は多結晶シリコン、若しくは砒化ガリウム、アルミニウム−ガリウム砒素、インジウム燐ガリウム−インジウム燐等のIII−Ｖ族化合物半導体を構成材料とするものを用いることができる。
【００３０】
搭載された太陽電池セル３は、金属又は導電性熱硬化性シリコーン樹脂でメッキが施された搭載領域５と接合されたものであることが好ましい。
太陽電池セル３と搭載領域５を接合すれば、集光型太陽電池モジュールの製造における集光レンズ４を成型する際にこれらの取り扱いが容易になるとともに、放熱性が低下することもない。
【００３１】
支持体２は、太陽電池セル３が搭載された搭載領域５のそれぞれを取り囲む熱硬化性樹脂から成るものである。基台部１上に支持体２を接合することによって、集光レンズのための支持構造が形成される。図１に示す集光型太陽電池モジュール１０の例では、支持体２は、上部が搭載領域５の中心方向に向かって延伸するように形成されている。この支持体２により、太陽電池セル３とリード電極６とを接続するワイヤー８を取り囲む構造となっている。この構造によってワイヤー８による光吸収を抑制できるものとなる。また、ワイヤーの存在を考慮した集光レンズの設計が不要になる。
【００３２】
集光レンズ４は、それぞれの太陽電池セル３を封止するように搭載領域５の上方に透明の熱硬化性シリコーン樹脂で成型されたものである。集光レンズ４は、例えば凸レンズやフレネルレンズの形態とすることができる。このような集光型太陽電池モジュールであれば、光電変換効率に優れたものとなる。
【００３３】
高光電変換効率を実現するためには支持体２への光の透過や吸収がなくなるようにすることが有効である。そこで、支持体２は高い反射率を有するものであることが好ましい。特に、シリコーン樹脂を含有し、３５０ｎｍ以上、９００ｎｍ以下の波長の光に対する反射率が９０％以上である熱硬化性樹脂で成型されたものであることが好ましい。このようなものであれば、集光効率を向上して高光電変換効率とすることができるとともに、高耐熱性、高耐久性のものとなる。
【００３４】
支持体２の反射率を向上するために、支持体２の内壁表面を金属で蒸着、又はメッキされたものとすることができる。例えば、支持体２の内壁表面をニッケルでメッキすることによって、支持体２の反射率を９９％まで向上することが可能となる。これにより、従来のような煩雑な材料選定を行う必要がなく、集光構造、すなわち太陽電池セルに太陽光を照射する構造を支持体２、基台部１及び集光レンズ４の形状のみで設計できる。
図１に示すような、支持体２の上部が搭載領域５の中心方向に向かって延伸したものの場合、本発明における支持体２の内壁とは、支持体２の延伸した上部の側面（図１中のＡ）、すなわち、太陽電池セル３の上方に形成された開口部側面を少なくとも含む内面を意味する。少なくとも、この側面Ａにメッキを施すことが好ましい。
【００３５】
ここで、支持体２の内壁表面のメッキに用いる金属はニッケルに限定されず、例えば、反射率の高い金を用いることもできる。その他、アルミ、クロム、亜鉛、銀、プラチナなどの金属類やＳｉＯ２、ＴｉＯ２、ＺｒＯ２、ＭｇＦ２などの酸化物やフッ化物を使用しても良い。また、メッキだけでなく蒸着も可能である。また、支持体２内に酸化チタン等の高反射物質を混合することで支持体２の反射率を高めることもできる。
また、必要に応じて集光レンズ４又は太陽電池セル３の表面に合成樹脂による保護や屈折率調整用の膜を被覆しても良い。これによって外部から傷を防いだり、屈折率を調整することで太陽光の集光効率を更に向上できるものとなる。
【００３６】
支持体２には、例えばエポキシ樹脂、変性エポキシ樹脂、シリコーン樹脂、変性シリコーン樹脂、アクリレート樹脂、ウレタン樹脂、エポキシ樹脂とシリコーン樹脂からなる混成樹脂などの熱硬化性樹脂を用いることができる。
このような熱硬化性樹脂の例として、１）熱硬化性シリコーン樹脂組成物、２）トリアジン誘導体エポキシ樹脂、酸無水物、硬化促進剤、無機質充填剤からなる熱硬化性エポキシ樹脂組成物、３）熱硬化性のシリコーン樹脂とエポキシ樹脂からなるハイブリッド樹脂（混成樹脂）組成物などが挙げられる。しかし、熱硬化性樹脂はこれらに限定されることはなく、最終的な集光型太陽電池モジュールの使用用途に合わせて決定すれば良い。
【００３７】
上記１）の熱硬化性シリコーン樹脂組成物としては、下記平均組成式（１）で表される縮合型熱硬化性シリコーン樹脂組成物などが代表的なものである。
Ｒ１ａＳｉ（ＯＲ２）ｂ（ＯＨ）ｃ  Ｏ（４−ａ−ｂ−ｃ）／２        （１）
（式中、Ｒ１は同一又は異種の炭素数１〜２０の有機基、Ｒ２は同一又は異種の炭素数１〜４の有機基を示し、０．８≦ａ≦１．５、０≦ｂ≦０．３、０．００１≦ｃ≦０．５、０．８０１≦ａ＋ｂ＋ｃ＜２を満たす数である。）
【００３８】
上記２）の熱硬化性エポキシ樹脂組成物のトリアジン誘導体エポキシ樹脂としては、１，３，５−トリアジン核誘導体エポキシ樹脂が耐熱性、耐光性などの観点から好ましい。熱硬化性エポキシ樹脂組成物はトリアジン誘導体、硬化剤としての酸無水物などからなるものに限らず、従来から公知のエポキシ樹脂やアミン、フェノール硬化剤なども適宜使用しても良い。
上記３）のシリコーン樹脂とエポキシ樹脂のハイブリット樹脂としては、エポキシ樹脂とシリコーン樹脂からなる共重合体などが挙げられる。
【００３９】
上記シリコーン樹脂やエポキシ樹脂の組成物には、無機充填材を配合することができる。配合される無機充填材としては、通常シリコーン樹脂組成物やエポキシ樹脂組成物等に配合されるものを使用することができる。例えば、溶融シリカ、結晶性シリカ等のシリカ類、アルミナ、窒化珪素、窒化アルミニウム、ボロンナイトライド、ガラス繊維、ウォラステナイトなどの繊維状充填材、三酸化アンチモン等が挙げられる。これら無機充填材の平均粒径や形状は特に限定されない。
【００４０】
本発明で使用する樹脂組成物には、二酸化チタンも配合することができる。二酸化チタンは、白色着色材として、白色度を高め、光の反射効率を向上させるために配合するものであり、この二酸化チタンの単位格子はルチル型、アナタース型のどちらでも構わない。また、平均粒径や形状も限定されない。二酸化チタンは、樹脂や無機充填材との相溶性、分散性を高めるため、ＡｌやＳｉなどの含水酸化物等で予め表面処理することができる。
【００４１】
二酸化チタンの充填量は、組成物全体の２〜３０質量％、特に５〜１０質量％が好ましい。２質量％以上であれば十分な白色度が得られ、３０質量％以下であれば未充填やボイド等の成型性が低下することもない。
【００４２】
支持体２には、フィラー、拡散剤、顔料、蛍光物質、反射性物質、遮光性物質、繊維状無機材料からなる群から選択される少なくとも１つが混合されているものとすることができる。
このようなものであれば、支持体が高反射性、高強度を有するものとなり、集光型太陽電池モジュールの高耐久性、高光電変換効率を実現できる。
【００４３】
次に、本発明の集光型太陽電池モジュールの製造方法について説明する。
図４に示すように、まず、複数の太陽電池セルを搭載するための複数の搭載領域５及び太陽電池セルと外部電極を電気的に接続するための複数のリード電極６を有する基台部１を準備する。この準備した基台部１の搭載領域５の表面にメッキを施す。また、基台部１の搭載領域５のそれぞれを取り囲む支持構造を提供するための熱硬化性樹脂から成る支持体２を別途準備する（図４の（Ａ）：準備工程、メッキ工程）。
【００４４】
ここで、基台部１として上記した金属リードフレームを準備する場合には、金属板をエッチングすることによってリード電極を形成し、搭載領域５の表面、及び必要に応じてリード電極６の表面にもメッキを施す。このようにすれば、高放熱性を有する集光型太陽電池モジュールを低コストで製造できる。
或いは、樹脂基板、セラミック基板、ガラスクロス基板などの表面にメッキを施すことによって、メッキされた搭載領域５及びリード電極６を形成したものを基台部１として準備しても良い。
【００４５】
基台部１として金属リードフレームを用いる場合には、図４の（Ａ）に示すように、リード電極を形成するためにエッチングした部分７に熱硬化性樹脂を埋め込むことができる。このようにすれば、集光型太陽電池モジュールの強度を向上できる。この熱硬化性樹脂の埋め込みは例えば平坦なパーティング面を有する金型を用いた成型によって行うことができる。
【００４６】
別途準備する支持体２は、図４（Ｃ）に示すような、その上部を搭載領域５の中心方向に向かって延伸するように形成したものとすることができる。或いは、上方に向かって広がるテーパ形状を有する凹形状の支持体２とすることもできる。この際、支持体２をトランスファー成型又は射出成型によって成型することができる。
【００４７】
次に、太陽電池セル３をメッキが施された搭載領域５に搭載する（図４の（Ｂ）：搭載工程）。太陽電池セル３は受光部が上を向くようにして搭載する。また、太陽電池セル３を金属又は導電性樹脂ペーストで搭載領域５と接合することが好ましい。この場合、放熱性や導電性を考慮すると、金属としてはＡｕ―Ｓｎ、導電性樹脂ペーストとしては導電性熱硬化性シリコーン樹脂を用いることが望ましい。
【００４８】
太陽電池セル３とリード電極６は金ワイヤーや銅ワイヤーなどのワイヤー８を用いてワイヤーボンディングにて電気的に接続することができる。或いは、太陽電池セル３とリード電極６をサブマウント基板を介して電気的に接続することもできる。
【００４９】
次に、準備した支持体２を基台部１に接合する（図４の（Ｃ）：支持体接合工程）。この工程により、太陽電池セル３が搭載された搭載領域５のそれぞれを支持体２で取り囲む支持構造が形成される。支持体２の接合は、導電性ペーストや樹脂系接着剤により行うことができる。この際、支持体２を基台部１の所望位置に正確に位置決めするため、支持体２に位置決めピンを設けることが望ましい。また、支持体２に用いる熱硬化性樹脂は上記集光型太陽電池モジュールで説明したものと同様とすることができる。
【００５０】
本発明では、太陽電池セル３の搭載工程の後に支持体２を基台部１に接合するので、図４（Ｃ）に示すような、上記したワイヤーを取り囲む形状の支持体２を用いた集光型太陽電池モジュールを容易に製造できる。すなわち、支持体の設計自由度、ひいては集合レンズの設計自由度を高めることができ、光学設計を容易に行うことができる。
【００５１】
支持体２に高反射構造を保有させるため、熱硬化性樹脂に酸化チタン等の高反射物質を混合することができる。或いは、支持体２の内壁表面を金属で蒸着、又はメッキする工程を実施することもできる。この工程は、支持体２を基台部１に接合する前に実施できるので、メッキを行う際に基台部へのマスキングを必要とせず、工程を容易に短時間で実施できる。この工程でメッキに用いる金属は上記集光型太陽電池モジュールで説明したものと同様とすることができる。
【００５２】
次に、太陽電池セル３を封止するように搭載領域５の上方に集光レンズ４を成型する（図４の（Ｄ）：集光レンズ成型工程）。この工程では、支持体２の内壁で取り囲まれた空間及びその上方に流動性のある透明の熱硬化性シリコーン樹脂を流し込み、集光レンズ４を成型する。このようにすれば、光電変換効率、耐熱性及び耐久性に優れた集光型太陽電池モジュールを製造できる。
集光レンズ４の成型は圧縮成型、トランスファー成型、射出成型、鋳型成型によって行うことができる。このようにすれば、製造を簡略化でき、生産効率を向上し、コストを削減できる。或いは、樹脂の滴下によって集光レンズ４を成型することもできる。
【００５３】
集光レンズ成型工程後に、必要に応じて、基台部１の一部を切断することによって電気的回路を形成することができる（図４の（Ｅ））。図５は電気的回路を形成する方法の一例を示した図である。図５の（Ａ）は、集光レンズ４の成型後の集光型太陽電池モジュール１０を裏面側から見た図であり、図５の（Ｂ）〜（Ｄ）はダイシングブレードを用いて基台部１を切断する様子を示す図である。図５の（Ｂ）〜（Ｄ）に示すように、この工程では、ダイシングブレード９を用いて集光型太陽電池モジュールの裏面から基台部１の一部を切断する。このとき、図４（Ｅ）の１１で示すように、基台部１のみ又は基台部１と支持部２の一部分のみを切断し、支持部２は完全には切断しない（ハーフダイシング）。これにより、直列回路（図５の（Ｂ））、並列回路（図５の（Ｃ））、直列並列回路（図５の（Ｄ））の３種類の電気的回路を形成することが可能である。
【００５４】
このようにして電気的回路を形成すれば、電気的なショートやオープン状態を確認する製造工程内での検査を可能にするだけでなく、外部に電気的に接続する実装基板を省略することができ、集光型太陽電池モジュールを低コストで製造可能となる。
また、集光レンズ成型工程後に、集光型太陽電池モジュールをダイシングによって個片化する工程を実施しても良い（図４の（Ｆ））。この工程では、図４の（Ｆ）に示すように、基台部１と支持部２とをダイシングにより完全に切断する（フルダイシング）。このようにすれば、複数の個片化された集光型太陽電池モジュールを一度に大量に生産することができ、量産性が飛躍的に向上する。
【００５５】
図２及び図３に個片化された集光型太陽電池モジュールの一例を示す。図２は金型を用いて集光レンズ４が上向きの凸形状を有するように成型し、個片化した集光型太陽電池モジュールである。また、図３はディスペンサー装置等を用いて表面張力によって樹脂を滴下して集光レンズ４が下向きの凸形状を有するように成型し、個片化した集光型太陽電池モジュールである。
このように集光型太陽電池モジュールを個片化する工程を有する製造方法であれば、太陽電池を配置する場所を制限することなく、省スペース化を実現できる。
【実施例】
【００５６】
以下、本発明の実施例及び比較例を示して本発明をより具体的に説明するが、本発明はこれらに限定されるものではない。
【００５７】
（実施例１）
厚み０．２５ｍｍのＣｕベースの基材（三菱伸銅製Ｔａｍａｃ１９４）を用いて、エッチング工程を通じて複数の搭載領域、リード電極を形成し、搭載領域及びリード電極の表面にＮｉ／Ｐｄ／Ａｕメッキを施した、図４（Ａ）に示すような、金属リードフレームを基台部として作製した。この基台部の表面に対し５０Ｗ／６０秒の条件でプラズマ処理を実施した。
【００５８】
その後、搭載領域にカットしたＡｕ/Ｓｎリボン（住友金属鉱山製：商品名：アロイプリフォーム  Ａｕ８０％，Ｓｎ２０％）を配置し、太陽電池セル（Ｃｙｒｉｕｍ製：三接合型化合物タイプ  ２．５ｍｍ×２．５ｍｍ）を搭載し、２８０℃にて共晶接合した。搭載した太陽電池セルとリード電極を３０μｍの金ワイヤーを用いてワイヤーボンドにて電気的に接続した。
その後、トランスファー成型機により図４（ｃ）に示すような形状に熱硬化性シリコーン樹脂組成物から成型した熱硬化性シリコーン樹脂からなる支持体の内壁表面に３５０ｎｍ以上、９００ｎｍ以下の波長の光に対する反射率が９７％のＡｇメッキを施し、シリコーン樹脂接着剤にて支持体を基台部に接合した。
【００５９】
その後、ＴＯＷＡ製圧縮成型機を用いて、熱硬化性シリコーン樹脂（信越化学製：商品名ＫＪＲ−９０２２）で集光レンズを成型した。
その後、図５の（Ｂ）に示すように、厚さ０．４ｍｍのダイシングブレードを用いて基台部の一部を切断し（ハーフダイシング）、太陽電池セル３個の直列電子回路を３列並列させた電子回路を有した集光型太陽電池モジュールを得た。得られた集光型太陽電池モジュールの外周部に通電プローブを設け、通電プローブとリード電極とを接続して通電検査を実施し、太陽電池セルと金ワイヤーの接続状況を確認した。
【００６０】
その後、厚さ０．２ｍｍのダイシングブレードを用いて集光型太陽電池モジュールを個片化し（フルダイシング）、図２に示すような９個の集光型太陽電池モジュールを得た。この個片化された集光型太陽電池モジュールは上記で既に通電検査が成されたものであるので、個片化後の通電検査・選別工程は必要なく、一度に複数個のＩ−Ｖ測定情報を得られたため、工程が簡素化し、生産効率を向上できた。また生産コストの低減にもつながった。
【００６１】
（実施例２）
金属酸化物としてアルミナ（アドマテックス製：商品名ＡＯ−５０２）を含む熱硬化性シリコーン樹脂組成物をガラス繊維に含浸させた１枚当り７０μｍのシートを３層積層して、これをベースとし、その上面と下面に７５μｍの銅層とその表面にＮｉ／Ｐｄ／Ａｕのメッキを施した金属被覆層を形成した。その後、エッチングにてリード電極を形成して基台部を作製した。
その後、トランスファー成型機により高反射物質として酸化チタンを含むシリコーン樹脂組成物で図４（ｃ）に示すような形状に成型した支持体を基台部に接合した。
その後、実施例１と同様にして集光型太陽電池モジュールを製造した。
【００６２】
（比較例）
ＦＲ−４（Ｆｌａｍｅ  Ｒｅｔａｒｄａｎｔ  Ｔｙｐｅ  ４）基板上に、凹部が上方に向かって広がるようなテーパ形状を有する支持体をポリメチルメタクリレート（ＰＭＭＡ）で一体成型した基台を作製した。この基台の凹部の平坦な底部に、受光部を上にして太陽電池セルを半田により固定した。ここで、太陽電池セルは砒化ガリウムからなるものを用いた。
その後、凹部にポリスチレンを流し込んで太陽電池セルを封止し、その表面を加工して集光レンズを形成した。その後、ダイシング工程を実施し、個片化した集光型太陽電池モジュールを得た。
【００６３】
実施例１、２及び比較例にて製造した集光型太陽電池モジュールの１ｋＷ／ｍ２照射下における電流電圧特性をソーラーシュミレータ（朝日分光製：ＨＡＬ−３２０）を用いて測定し、光電変換効率を評価した。
その結果を表１に示す。表１に示すように、実施例１、２の集光型太陽電池モジュールは比較例よりも光電変換効率に優れていることが分かった。
【００６４】
【表１】
2014154828.tif 000003
【００６５】
実施例１、２及び比較例にて製造した集光型太陽電池モジュールのジャンクションからヒートシンクまでの基板熱抵抗値Ｒｊ−ＨＳを過渡熱測定装置（Ｍｅｎｔｏｒ  Ｇｒａｐｈｉｃｓ製：Ｔ３ｓｔａｒ）を用いて測定し、比較した。
その結果を表２に示す。表２に示すように、実施例１、２の集光型太陽電池モジュールは比較例よりも放熱性が向上していることが分かった。
【００６６】
【表２】
2014154828.tif 000004
【００６７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００６８】
１…基台部、  ２…支持体、  ３…太陽電池セル、  ４…集光レンズ、
５…搭載領域、  ６…リード電極、  ７…エッチング部分、
８…ワイヤー、  ９…ダイシングブレード、１０…集光型太陽電池モジュール、
１１…ハーフダイシング。
【図１】
2014154828.tif 000005
【図２】
2014154828.tif 000006
【図３】
2014154828.tif 000007
【図４】
2014154828.tif 000008
【図５】
2014154828.tif 000009